(57)【要約】【課題】市街地等の狭小地でも施工可能なコンクリートブロック等の代用として、簡単、短期工程で、且つ安全に施工でき、しかも材料の搬送に重機等を必要としない土擁壁を実現する。【解決手段】土擁壁１は、底面地盤１２上に高さ０．３ｍの盛土構造体５を複数段積み重ねて形成され、複数段の盛土構造体５の夫々は、横線９と縦線８の交点が溶接されて成る餅網から形成され、且つ壁面部６と底面部７から成る餅網Ｌ型ユニット２を備え、この餅網Ｌ型ユニット２上に盛土が盛られて盛土構造体が構成されており、壁面部６の内側には、植生マット３が配設されており、壁面部６の上端１０には横線９が配置されておらず、壁面部６の上端１０の縦線８は、上位の盛土構造体５の餅網Ｌ型ユニット２の下端の横線９の内側に配置されている。【選択図】図４
0003104772.tif 000002
【実用新案登録請求の範囲】
【請求項１】
底面地盤上に盛土構造体を複数段積み重ねて形成される土擁壁であって、
前記複数段の盛土構造体のそれぞれは、横線と縦線の交点が溶接されて成る餅網から形成され且つ壁面部と底面部を有する餅網Ｌ型ユニットを備え、前記餅網Ｌ型ユニット上に盛土が盛られて構成されていることを特徴とする土擁壁。
【請求項２】
前記壁面部の上端には横線が配置されておらず、前記壁面部の上端の縦線は、上位の盛土構造体の餅網Ｌ型ユニットの下端の横線の内側に配置されていることを特徴とする請求項１記載の土擁壁。
【請求項３】
前記壁面部は、その上端が該壁面部の上位の壁面部の餅網の内側に入るように、角度が付けられていることを特徴とする請求項１又は２記載の土擁壁。
【請求項４】
前記壁面部の底面部からの高さは０．２〜０．３ｍであることを特徴とする請求項１、２又は３記載の土擁壁。
【請求項５】
前記餅網Ｌ型ユニットの横幅は、０．６〜２．０ｍであることを特徴とする請求項１、２、３又は４記載の土擁壁。
【考案の詳細な説明】
【技術分野】
【０００１】
本考案は、土擁壁に関し、特にコンクリート・ブロックの代用として利用できる土擁壁に関する。
【背景技術】
【０００２】
従来、盛土構造物において、板状ブロックの壁面材を使用し、上下ブロックの間には継手金具及びスライド式ジョイントを設け、且つ補強土中に埋め込んだアンカー部材とスライド式ジョイントを連結する構成は公知である（特許文献１参照）。
【０００３】
又、駐車場や工場等の敷地造成地の擁壁、土捨て場の擁壁、その他各種の用途に利用される補強土擁壁において、壁面材をエキスパンドメタル（網状の鋼製部材）を利用して施工する構成は知られている（特許文献２参照）。
【特許文献１】特開平１１−２５６５８０号公報（段落０００４、図１、２）
【特許文献２】特開平０８−２８４１７３号公報（段落００１３、図１、４）
【考案の開示】
【考案が解決しようとする課題】
【０００４】
従来の壁面材としてコンクリートを用いた土擁壁は、施工できれば、見栄えもよいのであるが、コンクリートの擁壁は重量が重く、その搬送や施工作業に重機が必要であり、街中の狭小な場所で施工するような場合は作業が困難であるという問題がある。
【０００５】
従来の壁面材としてエキスパンドメタルを利用する補強土擁壁は、コンクリートの擁壁よりは軽いが、エキスパンドメタルは、鋼板をカッターで切って製造するので角が鋭角になり、鋏の刃のようになっており、又エキスパンドメタルの端部は菱形のとがった部分が残る。その結果、搬送や土擁壁の施工の際に怪我をしたりしやすく、取り扱いが簡単ではないという問題があった。
【０００６】
さらに、エキスパンドメタルを利用する補強土擁壁は、その施工において、複数の壁面材を積み上げていく際に、上位の段の壁面材が下位の段の壁面材に接触して、上段の盛土の沈下による重量が下段の壁面材にかかり、盛土の沈下に対する壁面材の伸縮量が小さく、盛土の沈下が集約される最下段の壁面材に上方の盛土の沈下重量がかかると、特に最下段の壁面材は変形や座屈による破損が発生する。
【０００７】
本考案は、従来技術の上記のような問題の生じない土擁壁を実現することを目的とするものであり、特に、市街地等の狭小地でも施工可能なコンクリートブロック等の代用として、簡単、短期工程で、且つ安全に施工でき、しかも資材の搬送に重機等を必要としない土擁壁を実現することを課題とする。
【課題を解決するための手段】
【０００８】
本考案は上記課題を解決するために、底面地盤上に盛土構造体を複数段積み重ねて形成される土擁壁であって、前記複数段の盛土構造体のそれぞれは、横線と縦線の交点が溶接されて成る餅網から形成され且つ壁面部と底面部を有する餅網Ｌ型ユニットを備え、前記餅網Ｌ型ユニット上に盛土が盛られて構成されていることを特徴とする土擁壁を提供する。
【０００９】
前記壁面部の上端には横線が配置されておらず、前記壁面部の上端の縦線は、上位の盛土構造体の餅網Ｌ型ユニットの下端の横線の内側に配置されている構成としてもよい。
【００１０】
前記壁面部は、その上端が該壁面部の上位の壁面部の餅網の内側に入るように、角度が付けられていることが好ましい。
【００１１】
前記壁面部の底面部からの高さは０．２〜０．３ｍであることが好ましい。
【００１２】
前記餅網Ｌ型ユニットの横幅は、０．６〜２．０ｍであることが好ましい。
【考案の効果】
【００１３】
本考案に係る土擁壁は、次のような効果が生じる。
（１）本考案で用いる餅網Ｌ型ユニットは、従来の補強土擁壁に用いる補強部材に比べると、幅が１〜２ｍで、高さ（壁面部の高さ）もほぼ０．３ｍ程度のコンパクトな構造をしているから、その運搬に重機等も不要であり、施工等における取り扱いがきわめて容易で、施工場所も狭くても済む。そして、コンクリート・ブロックのように重くないので、基礎が不要である。
【００１４】
（２）特に、１段の盛土構造体の高さは、０．３ｍ程度であり、従来の盛土構造体の高さ（０．６ｍ以上）に比べるとかなり低いので、各段の盛土構造体における壁面部にかかる土圧が１／４以下となるので、餅網Ｌ型ユニット強度はそれほど大きくなくても、その壁面部が変位、変形することがない。従って、従来の補強土擁壁等で利用していた壁面部と底面部を斜めタイ材で結合するような構成が不要となり、全体の構成、工程が簡単となり、コストの低減が可能である。
【００１５】
（３）従来の土擁壁の際に必要であった、敷網材（各段の盛土の上に敷設し、盛土間の剪断力を強めるとともに、壁面材等をタイ材で引っ張る役割をする。）が不要であり、施工が簡単となり、工期が短縮化可能である。
【００１６】
（４）本考案の土擁壁では、餅網Ｌ型ユニットの上端には横線が設けられていないので、上段の餅網Ｌ型ユニットがその上に盛土が盛られた際に盛土とともに下方に沈み込んでも、下段の餅網Ｌ型ユニットの横線に接触して阻止されることがないので、餅網Ｌ型ユニット、特に最下段の餅網Ｌ型ユニットの損傷等が防止でき、耐久性が向上する。
【００１７】
（５）餅網Ｌ型ユニットの餅網は、その縦線と横線の交点が溶接され丸みを帯びており、従来、土擁壁の補強に使用されているエキスパンダメタルのように、鋭角となった部分がないので、人が接触しても、怪我などの生じる危険がない。
【考案を実施するための最良の形態】
【００１８】
本考案に係る土擁壁を実施するための最良の形態を実施例に基づいて図面を参照して説明する。
【実施例】
【００１９】
図１は、本考案に係る土擁壁１の断面構造を説明する図である。この土擁壁１は、餅網Ｌ型ユニット２（「ワイヤメッシュＬ型ユニット」とも言う。）を複数段積み重ね、その内面側に植生マット３を配置して、その各段に盛土４を盛って成る構造物である。換言すれば、餅網Ｌ型ユニット２に盛土４を盛った盛土構造体５を複数段積み重ねて成る構造物である。なお、植生マット３とともに、或いは植生マット３に代えて吸い出し防止材を配置してもよい。
【００２０】
図２は、餅網Ｌ型ユニット２の構成を説明する図であり、（ａ）、（ｂ）、（ｃ）は、それぞれ正面図、側面図、平面図である。図２（ａ）〜（ｃ）に示すように、餅網Ｌ型ユニット２は、やや太い番線を縦横に直角に置き（以下、縦に置かれた番線を「縦線」と言い、横に置かれた番線を「横線」という。）、交点を溶接して成る餅網（餅を焼く網であり、「ワイヤメッシュ」とも言う。）から形成されている。
【００２１】
そして、餅網Ｌ型ユニット２は、正面の壁面部６と底面部７とから構成され、側方から見た形状はほぼＬ型をしている。餅網Ｌ型ユニット２の底面部７に対する壁面部６の折り返しの角度θは、土擁壁１の高さや環境を考慮して適宜、決めればよい。この角度θは、壁面部６が鉛直乃至ほぼ鉛直（鉛直面に対して５分程度）であってもよい。餅網Ｌ型ユニット２の餅網材料としては、溶融亜鉛メッキをした場合のように腐食に強い鉄鋼線材を使用する。
【００２２】
餅網Ｌ型ユニット２の壁面部６の高さ、即ち、１段の盛土構造体５の高さｈは、従来の壁面部６に比べて、かなり低い寸法である数種類の高さ寸法のもの、例えば、０．２〜０．３ｍ程度、を用意し、構築対象である土擁壁１の目的や設置環境に応じて適宜選択すればよい。本実施例では盛土構造体５の高さｈは、０．３ｍとする。餅網Ｌ型ユニット２の餅網の縦線８の太さ（断面直径）はφ１０ｍｍ程度であり、横線９の太さはφ６ｍｍ程度でもよい。
【００２３】
餅網Ｌ型ユニット２は、その正面から見て横幅は、０．６〜２．０ｍであることが好ましい。横幅を狭くすると、壁面部を平面図図で全体的に見て曲線状に形成しやすいというメリットがある。縦線８のピッチ（隣接する縦線８相互の間隔）は、１０本／ｍ程度とする。横線９のピッチは、壁面部６と底面部７で異なる。即ち、壁面部６においては、植生マット３や吸い出し防止材をその内側に配置し支持するので、横線９のピッチを細かくする。なお、本考案の餅網Ｌ型ユニット２では、その壁面部６の上端１０では、横線９がない構造であることを特徴としている。
【００２４】
餅網Ｌ型ユニット２の底面部７の水平方向の長さは、壁面部６の高さに応じて、いくつかの種類の長さのものを用意して、構築する土擁壁１の規模や環境等を考慮して選択して使用すればよい。ちなみに、本実施例では、図１に示すように、底面部７の長いものと短いものを交互に積み重ねる構造としている。同じ長さのものを使用して積み重ねる場合もある。
【００２５】
図３は、以上の構造の餅網Ｌ型ユニット２を積み重ねた餅網積み重ね構造１１を示す図である。図３（ａ）において餅網積み重ね構造１１の全体構成を示す。土擁壁１の横幅（正面から見て横方向の長さ）に応じて、各段において、複数の餅網Ｌ型ユニット２を横幅方向に複数個並べられている。
【００２６】
餅網Ｌ型ユニット２の壁面部６の上端には横線９が設けられていない。換言すれば、壁面部６の最上位の横線９は、縦線８の上端から比較的下がった下方の位置に設けられている。そして、横線９は、図３（ｂ）に部分拡大図で示すように、下段の餅網Ｌ型ユニット２の縦線８の上端は（縦線８の上端は必要ならば少し内側に折り曲げて）、上段の餅網Ｌ型ユニット２の下端の横線９の内側に位置するように配置し、外側にとびださないように上段の餅網Ｌ型ユニット２の下端の横線９で押さえるような構成とする。
【００２７】
このように下段の餅網Ｌ型ユニット２の壁面部６の上端には横線９が設けられていないので、上段の餅網Ｌ型ユニット２は、その上に盛土４が盛られた際に沈み込んでも自由に盛土４とともに下がることができ、下段の餅網Ｌ型ユニット２の壁面部６の横線９に接触し、阻止されることがないので、上下の段の餅網Ｌ型ユニット２のそれぞれの損傷等が防止できる。
【００２８】
図４は、本考案に係る土擁壁１の構造を示す斜視図であり、特に餅網積み重ね構造１１において、壁面部６の内側の面に植生マット３を配設した状態を示す図である。植生マット３は、各段落の餅網Ｌ型ユニット２の壁面部６の内面に張り付けられ、番線で壁面部６に結い付けられている。なお。図４（ａ）は、各段落の餅網Ｌ型ユニット２の間には盛土４が盛り込まれているが、この盛土４は省略している。
【００２９】
本考案に係る土擁壁１の施工に際しては、まず最下段の餅網Ｌ型ユニット２を、正面から見て所望の横方向の長さとなるように複数個、構築すべき場所の地盤１２上に並べて配置する。この場合、壁面部６と底面部７を斜めタイ材で結合するような構成が不要である。そして、餅網Ｌ型ユニット２の壁面部６の内側の面に図４に示すように植生マット３を張り付けて番線で結い付ける。この後、盛土４を盛って転圧し最下段の盛土構造体５を構築する。
【００３０】
この最下段の盛土構造体５の上面に、２段目の餅網Ｌ型ユニット２を、最下段の場合と同様に土擁壁１の横幅方向に複数個並べて配置し、餅網Ｌ型ユニット２の壁面部６の内側の面に図４に示すように植生マット３を張り付けて番線で結い付ける。この後、盛土４を盛って転圧し２段目の盛土構造体５を構築する。以下、同様にして順次上段の盛土構造体５を形成する。
【００３１】
以上、本考案に係る土擁壁を実施するための最良の形態を実施例に基づいて説明したが、本考案はこのような実施例に限定されるものではなく、実用新案登録請求の範囲に記載された技術的事項の範囲内でいろいろな実施例があることは言うまでもない。
【産業上の利用可能性】
【００３２】
以上のとおり、本考案に係る土擁壁は、餅網から成る餅網Ｌ型ユニットを盛土を盛りながら複数段積み上げることにより簡単に構築できるから、比較的施工場所が狭い市街地等の場所でも適用可能であり、街中で見かけるコンクリート・ブロック擁壁の代用の擁壁として好適である。さらに、本考案に係る土擁壁は、駐車場や工場等の敷地造成地の擁壁をはじめとして、山間地等に構築する補強土擁壁としても適用できる。
【図面の簡単な説明】
【００３３】
【図１】本考案に係る土擁壁の実施例の側方から見た断面構造を示す。
【図２】（ａ）、（ｂ）、（ｃ）は、それぞれ本考案に係る土擁壁に使用される餅網Ｌ型ユニット２正面図、側面図、平面図である。
【図３】（ａ）は図２に示す本考案の餅網Ｌ型ユニットを積み重ねた餅網積み重ね構造を示す図であり、（ｂ）は（ａ）の部分拡大図である。
【図４】本考案に係る土擁壁の実施例の斜視図である。
【符号の説明】
【００３４】
１  土擁壁                                
２  餅網Ｌ型ユニット                      
３  植生マット                            
４  盛土                                  
５  盛土構造体                            
６  餅網Ｌ型ユニットの壁面部              
７  餅網Ｌ型ユニットの底面部              
ｈ  盛土構造体の高さ                      
θ  餅網Ｌ型ユニットの折り返しの角度      
８  餅網の縦線                            
９  餅網の横線                            
１０  壁面部の上端                        
１１  餅網積み重ね構造                    
１２  構築すべき場所の地盤                
【図１】
0003104772.tif 000003
【図２】
0003104772.tif 000004
【図３】
0003104772.tif 000005
【図４】
0003104772.tif 000006